(57)【要約】【課題】人が導光板を見た場合に輝度の差異に基づく模様を感じにくくすることと、高い配光制御性の維持とを両立できる照明器具を提供することである。【解決手段】照明器具は、光源と、光源からの光を所定方向に導光して出射させる照明用の導光板２２とを含む。導光板は、厚み方向両側面の少なくとも第１面Ａ１に、複数の微小光学構造を有し、複数の微小光学構造は、第１面の少なくとも一部の領域に、ＦＭスクリーン法に基づいて分散して配置されている。【選択図】図１３
2019192554.tif 000002
【特許請求の範囲】
【請求項１】
光源と、
前記光源からの光を所定方向に導光して出射させる照明用の導光板と、を備え、
前記導光板は、
厚み方向両側面の少なくとも第１面に、複数の微小光学構造を有し、
前記複数の微小光学構造は、前記第１面の少なくとも一部の領域に、ＦＭスクリーン法に基づいて分散して配置されている、
照明器具。
【請求項２】
請求項１に記載の照明器具において、
前記ＦＭスクリーン法は、組織的ディザ法、または誤差拡散法、またはブルーノイズマスク法である、
照明器具。
【請求項３】
請求項１または請求項２に記載の照明器具において、
前記光源としての発光素子が実装された実装基板を備え、
前記導光板は、
前記発光素子からの光が入射する入射部と、
前記入射部に入射した光が出射する出射部と、
前記入射部と前記出射部との間に形成された導光部であって、前記入射部から前記出射部まで湾曲しながら延び、前記入射部に入射した光を前記出射部に向けて反射させながら導くための第１の反射面及び第２の反射面を内周面に有する導光部と、を有し、
前記第１の反射面は、前記導光部を仮想平面で切断したときの断面において、焦点を有する放物線を形成し、
前記第２の反射面は、前記断面において、前記第１の反射面よりも前記出射部に近い側に配置され、かつ、前記第１の反射面と前記焦点とを通る仮想直線と交差する位置に配置されており、
前記出射部は、前記複数の微小光学構造が配置された前記第１面を有する、
照明器具。
【請求項４】
請求項３に記載の照明器具において、
前記第１面は、前記導光部に近い側に配置され、微小光学構造を有しない第１領域と、前記第１領域より前記導光部から遠い側に配置され、前記複数の微小光学構造が配置された第２領域とを含む、
照明器具。
【請求項５】
請求項４に記載の照明器具において、
前記第２領域における前記複数の微小光学構造の配置は、密度勾配を有しない、
照明器具。
【請求項６】
請求項１から請求項５のいずれか１項に記載の照明器具において、
前記複数の微小光学構造のそれぞれは、凹形状のプリズム、または印刷により形成され光を反射する反射体である、
照明器具。
【請求項７】
請求項６に記載の照明器具において、
前記複数の微小光学構造のそれぞれは、直径５０μｍ〜５００μｍの凹形状のプリズムである、
照明器具。
【請求項８】
請求項１または請求項２に記載の照明器具において、
前記光源としての発光素子が実装された実装基板を備え、
前記導光板は、リング状であり、かつ、前記発光素子からの光が入射される入射面を有する、
照明器具。
【請求項９】
請求項８に記載の照明器具において、
前記第１面は、前記発光素子に近い側に配置され、微小光学構造を有しない第１領域と、前記第１領域より前記発光素子から遠い側に配置され、前記複数の微小光学構造が配置された第２領域とを含む、
照明器具。
【請求項１０】
請求項９に記載の照明器具において、
前記第２領域における前記複数の微小光学構造の配置は、密度勾配を有しない、
照明器具。
【請求項１１】
請求項８から請求項１０のいずれか１項に記載の照明器具において、
前記複数の微小光学構造のそれぞれは、スクリーン印刷、またはインクジェット印刷、またはグラビア印刷によって形成されている、
照明器具。
【発明の詳細な説明】
【技術分野】
【０００１】
本開示は、導光板を用いた照明器具に関する。
【背景技術】
【０００２】
特許文献１には、導光板を用いた照明器具が記載されている。導光板は、発光素子からの光が入射する入射部と、入射部に入射した光が出射する出射部と、入射部と出射部との間に形成された導光部とを備えている。導光部は、入射部から出射部まで湾曲しながら延びている。入射部から導光部に入射した光は、導光部の外周面（凸面）で反射しながら出射部に向けて導かれる。出射部には、微小な凹凸形状を含み、光を散乱させる光散乱パターンが形成されている。
【０００３】
特許文献２には、液晶表示装置に用いられる導光板に離散パターンでドットを形成することと、微小ドットの密度で画像の濃淡を二値化手法で表現するときに、ＦＭ（frequency modulated）スクリーン法を用いることとが記載されている。
【先行技術文献】
【特許文献】
【０００４】
【特許文献１】特開２０１３−１０１８５８号公報
【特許文献２】特許第４２４３６３３号公報
【発明の概要】
【発明が解決しようとする課題】
【０００５】
特許文献１に記載された照明器具では、人が導光板を見た場合に、導光板に凹凸形状が形成されており、かつ、凹凸形状の配列の規則性で他所よりも偏りがある場合に、局所的な輝度の差異に基づく模様が形成されていると感じやすい場合がある。また、凹凸形状の密度が局所的または全体的に高くなるときに、導光板において配光の制御に有効な平坦部が少なくなるので、高い配光制御性を維持することが困難になる。特許文献２に記載された構成は、液晶表示装置用の導光板に離散パターンでドットを形成したものであり、バックライトとしての利用が前提となるため、導光板を直接製品面として利用することはない。バックライトの場合、凹凸形状は入光面から密度変化させることが前提であり、特許文献２では、密度傾斜の一部分に発生する輝度ムラや、発光面全体の輝度勾配の改善が重要となる。特許文献２には、照明器具用に導光板を製品面と利用することを想定して、複数の微小光学構造を配置した場合において、輝度の差異に基づく模様が感じられることを抑制する手段は開示されていない。
【０００６】
本開示は、人が導光板を見た場合に輝度の差異に基づく模様を感じにくくすることと、高い配光制御性の維持とを両立できる照明器具を提供することを目的とする。
【課題を解決するための手段】
【０００７】
本開示の一態様に係る照明器具は、光源と、光源からの光を所定方向に導光して出射させる照明用の導光板と、を備え、導光板は、厚み方向両側面の少なくとも第１面に、複数の微小光学構造を有し、複数の微小光学構造は、第１面の少なくとも一部の領域に、ＦＭスクリーン法に基づいて分散して配置されている。
【発明の効果】
【０００８】
本開示の一態様に係る照明器具によれば、人が導光板を見た場合に輝度の差異に基づく模様を感じにくくすることと、高い配光制御性の維持とを両立できる。
【図面の簡単な説明】
【０００９】
【図１】実施形態に係る照明器具の床面側の外観を示す斜視図である。
【図２】実施形態に係る照明器具の天井側の外観を示す斜視図である。
【図３】拡散カバーを取り外した状態での、実施形態に係る照明器具を示す分解斜視図である。
【図４】化粧カバー、導光板及び反射部材を取り外した状態での、実施形態に係る照明器具を示す分解斜視図である。
【図５】実施形態に係る照明器具の分解斜視図である。
【図６】図１のＡ−Ａ断面図である。
【図７】図６の左側部分を拡大して示す断面図である。
【図８】化粧カバー、導光板、反射部材及び拡散カバーを省略した状態での、実施形態に係る照明器具を示す平面図である。
【図９】図８からさらにレンズカバーを省略した状態での、実施形態に係る照明器具を示す平面図である。
【図１０】図１から導光板を抜き出して示す図であり、（ａ）は、導光板を示す斜視図であり、（ｂ）は、（ａ）のＢ−Ｂ断面斜視図である
【図１１】図１０（ａ）のＣ−Ｃ断面図である。
【図１２】実施の形態に係る導光板の入射部を拡大して示す断面斜視図である。
【図１３】図７の導光板におけるＤ部拡大図である。
【図１４】図７の導光板の出射部の第２領域を第２面側から見た場合の周方向一部を示す図である。
【図１５】(ａ)は、実施形態において導光板における図７のＦ部拡大相当図であり、（ｂ）は、比較例の第１例において導光板における図７のＦ部拡大相当図であり、(ｃ)は、比較例の第２例において導光板における図７のＦ部拡大相当図である。
【図１６】実施形態において、導光板の第１面における微小光学構造の配置を決定するための、誤差拡散法で用いるアルゴリズムを示すブロック図である。
【図１７】誤差拡散法において、入力画像の１つの単位領域の明るさにおける階調をしきい値と比較して発生した誤差を、近隣の単位領域に分散させる様子を示す図である。
【図１８】実施形態において、誤差拡散法に用いる拡散係数を示す図である。
【図１９】実施形態において、導光板の第１面の微小光学構造の配置のラジアル平均スペクトラムを示す図である。
【図２０】（ａ）は、比較例の第１例または第２例において、導光板に発生する輝度差異に基づく模様の第１例を示している、導光板の第２面の外側から見た図であり、（ｂ）は、（ａ）のＧ部拡大図である。
【図２１】（ａ）は、比較例の第１例または第２例において、導光板に発生する輝度差異に基づく模様の第２例を示している、導光板の第２面の斜視図であり、（ｂ）は、（ａ）のＨ部拡大図である。
【図２２】実施形態の別例の第１例において、誤差拡散法に用いる拡散係数を示す図である。
【図２３】実施形態の別例の第１例おいて、導光板の第１面の微小光学構造の配置のラジアル平均スペクトラムを示す図である。
【図２４】実施形態の別例の第１例において、図１４に対応する図である。
【図２５】実施形態の別例の第２例の照明器具において、床面側の外観を示す斜視図である。
【発明を実施するための形態】
【００１０】
以下、図面を用いて本開示の実施形態を説明する。以下で説明する形状、数値、材料、構成要素、及び構成要素の配置位置や接続形態などは、説明のための例示であって、照明器具の仕様に応じて適宜変更することができる。以下ではすべての図面において同等の要素には同一の符号を付して説明する。また、本文中の説明においては、必要に応じてそれ以前に述べた符号を用いるものとする。
【００１１】
以下、実施形態に係る照明器具について説明する。
【００１２】
［１．照明器具の構成］
［１−１．照明器具の全体構成］
図１〜図５を参照しながら、実施形態に係る照明器具２の全体構成を説明する。図１は、実施形態に係る照明器具２の床面側の外観を示す斜視図である。図２は、照明器具２の天井４側の外観を示す斜視図である。図３は、拡散カバー２６を取り外した状態での、照明器具２を示す分解斜視図である。図４は、化粧カバー２０、導光板２２及び反射部材２４を取り外した状態での、照明器具２を示す分解斜視図である。図５は、照明器具２の分解斜視図である。
【００１３】
照明器具２は、例えば住宅等の建物の天井４（図５参照）に設置され、建物の内部の空間６（後述する図６参照）を照明するためのシーリングライトである。図５に示すように、照明器具２は、器具本体８、器具取付部材１０、電源ユニット１２、反射カバー１４、発光モジュール１６、レンズカバー１８、化粧カバー２０、導光板２２、反射部材２４及び拡散カバー２６を備えている。
【００１４】
以下、図１〜図１２を参照しながら、照明器具２の各構成要素について詳細に説明する。なお、図１〜図１２において、Ｚ軸のマイナス側は天井４側、Ｚ軸のプラス側は床面（図示せず）側を表している。説明の都合上、図１及び図３〜図７では、照明器具２を通常の使用時の姿勢とは上下逆の姿勢で図示している。
【００１５】
［１−２．器具本体］
図２、図５、図６及び図７を参照しながら、器具本体８について説明する。図６は、図１のＡ−Ａ断面図である。図７は、図６の左側部分を拡大して示す断面図である。
【００１６】
器具本体８は、電源ユニット１２及び反射カバー１４を支持するための筐体である。図６に示すように、器具本体８は、中央部に円形の開口部８ａを有するリング状に形成されている。図５及び図７に示すように、器具本体８の外周部には、反射カバー１４を支持するためのフランジ部８ｂが形成されている。器具本体８は、例えばアルミニウム板又は鋼板等の板金をプレス加工することによって上述した形状に成形される。
【００１７】
図６に示すように、器具本体８の開口部８ａの周縁部には、器具本体８を、後述する器具取付部材１０に装着するためのホルダ２８が固定されている。ホルダ２８は、器具本体８の開口部８ａの周縁部から床面側(図６の上側)に延びている。後述するように、ホルダ２８の内部には器具取付部材１０が着脱自在に嵌合される。
【００１８】
さらに、図５及び図６に示すように、器具本体８の一方側の面（床面側の面）には、反射カバー１４を支持するための絶縁ケース３０が固定されている。絶縁ケース３０は、断面が略矩形の筒状に形成され、ホルダ２８を囲む位置に配置されている。絶縁ケース３０は、例えば樹脂等の絶縁性材料で形成されている。
【００１９】
さらに、図２及び図６に示すように、器具本体８の他方側の面（天井４側の面）には、例えばウレタン等で形成されたクッション部材３２が複数取り付けられている。複数のクッション部材３２は、器具本体８の周方向に沿って等間隔で配置されている。後述するようにして照明器具２が天井４に設置された際に、複数のクッション部材３２が器具本体８と天井４との間に挟み込まれることにより、器具本体８のぐらつきが抑制される。
【００２０】
［１−３．器具取付部材］
次に、図２、図５及び図６を参照しながら、器具取付部材１０について説明する。器具取付部材１０は、天井４に設置された引っ掛けシーリングボディ３４（図５参照）に器具本体８を着脱自在に取り付けるためのアダプタである。
【００２１】
図２、図５及び図６に示すように、器具取付部材１０は、略円柱状に形成され、器具本体８のホルダ２８の内部に着脱自在に嵌合される。また、器具取付部材１０は、引っ掛けシーリングボディ３４に着脱自在に取り付けられる。
【００２２】
照明器具２を天井４に設置する際には、ユーザは、まず、器具取付部材１０を引っ掛けシーリングボディ３４に取り付ける。その後、ユーザは、器具取付部材１０が器具本体８のホルダ２８の内部に挿入されるようにして、器具本体８を天井４側に押し上げることにより、ホルダ２８と器具取付部材１０とを嵌合させる。これにより、器具本体８が器具取付部材１０及び引っ掛けシーリングボディ３４を介して天井４に取り付けられ、照明器具２が天井４に設置される。
【００２３】
引っ掛けシーリングボディ３４は、天井４の裏側に配置された商用電源（図示せず）と電線（図示せず）を介して電気的に接続されている。照明器具２が天井４に設置されることにより、商用電源からの交流電力が電線及び引っ掛けシーリングボディ３４を介して照明器具２に供給される。
【００２４】
［１−４．電源ユニット］
次に、図５を参照しながら、電源ユニット１２について説明する。電源ユニット１２は、発光モジュール１６を発光させるための電力を生成するためのユニットである。図５に示すように、電源ユニット１２は、基板３６と、基板３６に実装された複数の回路部品３８とを有している。
【００２５】
基板３６は、複数の回路部品３８を実装するためのプリント配線基板であり、略Ｌ字状に形成されている。基板３６は、複数の回路部品３８が床面側を向くようにして、器具本体８の一方側の面に取り付けられている。
【００２６】
複数の回路部品３８のそれぞれは、発光モジュール１６を発光させるための電力を生成する電源回路を構成する電源用回路部品である。複数の回路部品３８は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいる。
【００２７】
複数の回路部品３８は、上述した商用電源から電線を介して供給されてきた交流電力を直流電力に変換する。複数の回路部品３８で生成された直流電力が発光モジュール１６に供給されることにより、発光モジュール１６が発光する。
【００２８】
複数の回路部品３８には、上述した電源用回路部品だけでなく、その他の回路を構成する回路部品が含まれていてもよい。例えば、複数の回路部品３８は、調光回路又は昇圧回路等を構成する駆動用回路部品を含んでいてもよく、あるいは、通信回路を構成する通信用回路部品（通信モジュール）等を含んでいてもよい。
【００２９】
［１−５．反射カバー］
次に、図４〜図７を参照しながら、反射カバー１４について説明する。反射カバー１４は、発光モジュール１６からの光を反射するためのカバーである。反射カバー１４は、発光モジュール１６からの熱を放熱するためのヒートシンクとしても機能する。
【００３０】
図４〜図６に示すように、反射カバー１４は、中央部に略矩形状の開口部１４ａを有するリング状に形成されている。図７に示すように、反射カバー１４の外周部にはフランジ部１４ｂが形成されている。
【００３１】
反射カバー１４は、例えばアルミニウム板又は鋼板等の板金をプレス加工することによって上述した形状に成形される。反射カバー１４の一方側の面（床面側の面）には、反射性を高めて光取り出し効率を向上させるために、白色塗料が塗布、又は、反射性金属材料が蒸着されている。
【００３２】
図６及び図７に示すように、反射カバー１４は、器具本体８の一方側の面を覆うように配置されている。反射カバー１４のフランジ部１４ｂは、器具本体８のフランジ部８ｂに複数のネジ４０で取り付けられている。また、反射カバー１４の開口部１４ａの周縁部は、絶縁ケース３０の先端部に支持されている。
【００３３】
［１−６．発光モジュール］
次に、図４〜図９を参照しながら、発光モジュール１６について説明する。図８は、化粧カバー２０、導光板２２、反射部材２４及び拡散カバー２６を省略した状態での、照明器具２を示す平面図である。図９は、図８からさらにレンズカバー１８を省略した状態での、照明器具２を示す平面図である。
【００３４】
発光モジュール１６は、例えば白色光を発するための光源である。図４〜図９に示すように、発光モジュール１６は、複数の基板４２と、複数の基板４２のそれぞれに実装された複数の第１の発光素子４４及び複数の第２の発光素子４６（発光素子の一例）とを有している。
【００３５】
図９に示すように、基板４２は、複数の第１の発光素子４４及び複数の第２の発光素子４６を実装するためのプリント配線基板であり、円弧状に形成されている。複数の基板４２のそれぞれは、反射カバー１４の開口部１４ａを囲むようにして、反射カバー１４の一方側の面にネジ４８で取り付けられている。これにより、複数の基板４２は、後述する導光板２２の周方向に沿ってリング状に並んで配置される。
【００３６】
図９に示すように、基板４２の周方向における両端部にはそれぞれ、一対のコネクタ５０が実装されている。隣接する一対の基板４２の対向する一対のコネクタ５０は、リード線５２を介して互いに電気的に接続されている。また、他の隣接する一対の基板４２の対向する一対のコネクタ５０は、リード線５４を介して電源ユニット１２の基板３６に電気的に接続されている。
【００３７】
基板４２としては、例えば、樹脂基板、メタルベース基板、セラミック基板又はガラス基板等を用いることができる。また、基板４２は、リジッド基板に限定されず、フレキシブル基板であってもよい。
【００３８】
複数の第１の発光素子４４は、基板４２の内周部に実装されている。具体的には、複数の第１の発光素子４４は、基板４２の内周部において、基板４２の径方向に例えば３列配置されている。各列において、複数の第１の発光素子４４は、基板４２の周方向に間隔を置いて配置されている。これにより、発光モジュール１６全体としては、複数の第１の発光素子４４は、リング状に配置されるようになる。
【００３９】
複数の第２の発光素子４６は、基板４２の外周部に実装されている。具体的には、複数の第２の発光素子４６は、基板４２の外周部において、基板４２の周方向に間隔を置いて例えば１列のみ配置されている。これにより、発光モジュール１６全体としては、複数の第２の発光素子４６は、リング状に配置されるようになる。
【００４０】
第１の発光素子４４及び第２の発光素子４６のそれぞれは、例えば、パッケージ化された表面実装（ＳＭＤ：Ｓｕｒｆａｃｅ  Ｍｏｕｎｔ  Ｄｅｖｉｃｅ）型の白色ＬＥＤ（Ｌｉｇｈｔ  Ｅｍｉｔｔｉｎｇ  Ｄｉｏｄｅ）素子である。すなわち、第１の発光素子４４及び第２の発光素子４６のそれぞれは、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００４１】
このように、第１の発光素子４４及び第２の発光素子４６のそれぞれは、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子４４及び第２の発光素子４６のそれぞれから白色光が出射される。
【００４２】
なお、本実施形態では、第１の発光素子４４及び第２の発光素子４６がともに白色光を発するようにしたが、互いに異なる色（波長）の光を発するようにしてもよい。例えば、第１の発光素子４４が白色光を発し、第２の発光素子４６が電球色光を発するようにしてもよい。
【００４３】
［１−７．レンズカバー］
次に、図３〜図８を参照しながら、レンズカバー１８について説明する。レンズカバー１８は、複数の第１の発光素子４４のそれぞれからの光の配光角を拡大するための光学部材である。
【００４４】
図３〜図８に示すように、レンズカバー１８は、リング状に形成され、透光性を有する材料（例えば透明のアクリル樹脂等）で形成されている。図８に示すように、レンズカバー１８は、複数の基板４２のそれぞれの内周部を覆うようにして、反射カバー１４の一方側の面にネジ５６で取り付けられている。このとき、レンズカバー１８は、複数の基板４２のそれぞれにおける複数の第１の発光素子４４を覆うが、複数の基板４２のそれぞれにおける複数の第２の発光素子４６を覆わない。
【００４５】
レンズカバー１８には、複数の第１の発光素子４４に対応して、複数のレンズ部１８ａが形成されている。複数の第１の発光素子４４のそれぞれからの光は、対応するレンズ部１８ａを透過する。このとき、複数のレンズ部１８ａのそれぞれは、透過する光の配光角を拡大させる。
【００４６】
［１−８．化粧カバー］
次に、図５〜図７を参照しながら、化粧カバー２０について説明する。化粧カバー２０は、反射カバー１４及び器具本体８を側方から覆って化粧するためのカバーである。
【００４７】
図５〜図７に示すように、化粧カバー２０は、リング状に形成されている。具体的には、化粧カバー２０は、一端部（床面側の端部）から他端部（天井４側の端部）に向けてラッパ状に広がっており、反射カバー１４及び器具本体８を側方から覆うように配置されている。なお、化粧カバー２０は、例えば白色のポリスチレン樹脂等で形成されている。
【００４８】
図６及び図７に示すように、化粧カバー２０の一端部には、化粧カバー２０の径方向内側、かつ化粧カバー２０の他端部に向けて湾曲しながら延びるリング状の支持部２０ａが形成されている。支持部２０ａは、導光板２２の後述する導光部２２ｂの外周面を支持している。
【００４９】
化粧カバー２０の内面には、化粧カバー２０の全周に亘って延びるリング状の突部２０ｂが形成されている。突部２０ｂは、反射カバー１４のフランジ部１４ｂに接触している。これにより、化粧カバー２０は、反射カバー１４に対して位置決めされる。
【００５０】
［１−９．導光板の基本構成］
次に、図１〜図７及び図１０〜図１３を参照しながら、導光板２２の基本構成について説明する。図１０は、図１から導光板２２を抜き出して示す図である。図１０（ａ）は、導光板２２を示す斜視図であり、図１０（ｂ）は、図１０（ａ）のＢ−Ｂ断面斜視図である。図１１は、図１０（ａ）のＣ−Ｃ断面図である。図１２は、導光板２２の入射部２２ｃを拡大して示す断面斜視図である。図１３は、図７の導光板２２におけるＤ部拡大図である。説明の都合上、図１１、図１３では、断面を表すハッチングの図示を省略している。
【００５１】
導光板２２は、入射した複数の第２の発光素子４６のそれぞれからの光を所定方向（空間６（図７）に向かう方向）に導光して出射させる照明用の光学部材である。導光板２２の後述の出射部２２ｄの表面（光の出射面等）は、外部に製品面として露出する。図１〜図７及び図１０（ａ）に示すように、導光板２２の全体形状は、中央部に略円形状の開口部２２ａを有するリング状（ドーナツ状）に形成されている。導光板２２は、導光部２２ｂ、入射部２２ｃ、出射部２２ｄ及び複数の分岐導光部２２ｅを有している。導光板２２は、透光性を有する材料（例えば透明のアクリル樹脂等の樹脂材料）で形成されている。
【００５２】
出射部２２ｄは、円板状の部分であり、厚み方向両側面の第１面Ａ１において、図１０ａの破線で示す径方向所定位置より径方向内側部分には、第１領域Ｃ１(図７、図１３)が配置される。また、第１面Ａ１において、径方向所定位置より径方向外側部分には、第２領域Ｃ２(図７、図１３)が配置される。第１領域Ｃ１は、後述する導光部２２ｂに近い側に配置され、後述のマイクロプリズム等の微小光学構造を有しない。第２領域Ｃ２は、第１領域Ｃ１より導光部２２ｂから遠い側に配置され、複数の微小光学構造としてのマイクロプリズム６０（後述の図１５（ａ）参照）が配置される。以下、マイクロプリズムはプリズムと記載する。
【００５３】
プリズム６０は、微細な円錐形状の凹形状を有する。第２領域Ｃ２には、プリズム６０が多数配置されている。複数のプリズム６０のそれぞれは、例えば直径が５０μｍ〜５００μｍの凹形状である。なお、プリズムの形状は、凹形状に限定されず、凸形状であってもよい。第２領域Ｃ２のプリズムは、少なくとも一つの平面または曲面が光を透過及び反射させる凹形状又は凸形状のプリズム面で形成されている。また、プリズムの形状は、凹形状及び凸形状のいずれにおいても、円錐形状に限定されず、例えば四角錐形状であってもよく、あるいは、非対称の凹部を有する円錐形状、四角錐形状又はリング形状等、斜面の一部が透過及び反射の機能を有する形状等であってもよい。また、プリズムの代わりに、微小光学構造として、散乱性を有する微粒子又は顔料を含むインクを用いたスクリーン印刷等の印刷により形成され、光を反射する反射体が配置されてもよい。以下では、図１５（ａ）に示すように、プリズム６０が円錐形状の凹形状を有する場合を説明する。また、実施形態では、第２領域Ｃ２において、複数のプリズム６０が、ＦＭスクリーン法に基づいて分散して配置されている。これについては、後で詳しく説明する。
【００５４】
図６及び図７に示すように、導光部２２ｂは、入射部２２ｃと出射部２２ｄとの間に形成され、一端部（天井４側の端部）から他端部（床面側の端部）に向けてラッパ状に広がっている。すなわち、導光部２２ｂよりも径方向内側には上述した開口部２２ａが形成されており、複数の第１の発光素子４４及びレンズカバー１８は、開口部２２ａに対向する位置に配置されている。導光部２２ｂは、光を一端部から他端部に向けて導く。導光部２２ｂの外周面（凹面）は、化粧カバー２０の支持部２０ａに支持されている。導光部２２ｂの内周面（凸面）は、反射部材２４の後述する反射部２４ａにより覆われている。これにより、導光部２２ｂは、化粧カバー２０の支持部２０ａと反射部材２４の反射部２４ａとで挟持されている。
【００５５】
入射部２２ｃは、導光部２２ｂの一端部(図６、図７の天井側端部である下端部)の全周にわたってリング状に形成されており、導光部２２ｂの一端部から開口部２２ａのＺ軸方向の中心軸５８（図１０）に対して略平行に延びている。入射部２２ｃは、複数の第２の発光素子４６の略下側（図１１の上側）に対向し、かつ近接する位置に配置されている。
【００５６】
出射部２２ｄは、導光部２２ｂの他端部（図６、図７の床面側端部である上端部）の全周から導光板２２の径方向外側にリング状に延びている。出射部２２ｄは、化粧カバー２０の一端部よりも導光板２２の径方向外側に張り出しており、略水平な姿勢で（すなわち、天井４に対して略平行な姿勢で）配置されている。出射部２２ｄの厚み方向両側面における床面側の第２面Ａ２は、光が出射する面である。図７に示すように、出射部２２ｄの厚み方向両側面における天井４側の第１面Ａ１には、上述した複数のプリズム６０(後述の図１５（ａ）参照)が形成されている。
【００５７】
図５〜図７に示すように、複数の分岐導光部２２ｅは、入射部２２ｃから導光板２２の径方向内側（すなわち、導光部２２ｂが延びる方向とは異なる方向）に分岐して延びている。複数の分岐導光部２２ｅは、複数の基板４２に対応して、入射部２２ｃの周方向に間隔を置いて配置されている。複数の分岐導光部２２ｅの各々は、対応する基板４２の所定の領域（複数の第１の発光素子４４と複数の第２の発光素子４６との間の領域）にネジ４８（図８）で取り付けられている。
【００５８】
図１１及び図１２に示すように、入射部２２ｃは、第２の発光素子４６からの発散光の一部を所定の方向に対して平行な光に変換するプリズム構造６２を有している。導光部２２ｂを、開口部２２ａの中心軸５８を含む仮想平面で切断した断面（図１１及び図１２に示す断面）において、プリズム構造６２の中心軸６４は、鉛直方向（Ｚ軸方向）に対して略平行に延びている。
【００５９】
また、図１２に示すように、プリズム構造６２は、上記断面において、中心軸６４に対して非対称に形成されている。すなわち、上記断面において、プリズム構造６２の中心軸
６４よりも一方側（外周側）における凸面６２ａの曲率は、プリズム構造６２の中心軸６４よりも他方側（内周側）における凸面６２ｂの曲率と異なっている。
【００６０】
図１１に示すように、導光部２２ｂは、傾斜部６６と、湾曲部６８とを有している。図１１及び図１２に示すように、傾斜部６６は、入射部２２ｃから、プリズム構造６２の中心軸６４に対して出射部２２ｄに近付く方向に傾斜しながら延びている。傾斜部６６の中心軸６４に対する傾斜角度θは、例えば約１０°である。
【００６１】
図１１に示すように、湾曲部６８は、傾斜部６６から出射部２２ｄまで湾曲しながら延びている。湾曲部６８の内周面（凸面）には、入射部２２ｃに入射した光を出射部２２ｄに向けて反射させながら導くための第１の反射面７０、第２の反射面７２及び第３の反射面７４が形成されている。
【００６２】
第１の反射面７０は、上記断面において、焦点Ｆを有する放物線を形成している。第１の反射面７０は、湾曲部６８と傾斜部６６との境界位置から、焦点Ｆよりも入射部２２ｃに近い側の位置までの範囲にわたって形成されている。
【００６３】
第２の反射面７２は、上記断面において、例えば放物線又は円弧等の曲線を形成している。第２の反射面７２は、湾曲部６８と出射部２２ｄとの境界位置から、焦点Ｆよりも出射部２２ｄに近い側の位置までの範囲にわたって形成されている。これにより、第２の反射面７２は、上記断面において、第１の反射面７０よりも出射部２２ｄに近い側に配置されている。
【００６４】
より具体的には、第２の反射面７２は、上記断面において、第１の反射面７０と焦点Ｆとを通る仮想直線（図１１において一点鎖線で示す）と交差する位置に配置されている。換言すると、第２の反射面７２は、上記断面において、第１の反射面７０の入射部２２ｃ側の一端と焦点Ｆとを通る仮想直線７６と、第１の反射面７０の出射部２２ｄ側の他端と焦点Ｆとを通る仮想直線７８とで挟まれた領域に形成されている。
【００６５】
図１０（ａ）、（ｂ）に示すように、第２の反射面７２の凸面側には、凹凸加工によって粗面８０が形成されている。このとき、粗面８０は、第２の反射面７２の全域に形成されていてもよいし、第２の反射面７２の一部のみに形成されていてもよい。また、上述した凹凸加工に代えて、第２の反射面７２に例えばシボ加工又はサンドブラスト処理等のランダムな粗面化処理を施すことにより粗面８０を形成してもよい。
【００６６】
第３の反射面７４は、上記断面において、例えば放物線又は円弧等の曲線を形成している。第３の反射面７４は、第１の反射面７０と第２の反射面７２との間に形成されている。第１の反射面７０、第２の反射面７２及び第３の反射面７４は、上記断面において、全体として滑らかな曲線を形成している。
【００６７】
図１１に示すように、導光部２２ｂの外周面側において、導光部２２ｂと出射部２２ｄとの間には、凹部８２が形成されている。凹部８２は、導光部２２ｂの他端部の全周に亘ってリング状に形成されている。出射部２２ｄの凹部８２が形成された領域における厚み（Ｚ軸方向の大きさ）は、出射部２２ｄの凹部８２が形成されていない領域における厚みよりも小さい。
【００６８】
［１−１０．反射部材］
次に、図４〜図７を参照しながら、反射部材２４について説明する。反射部材２４は、導光板２２の導光部２２ｂの内部で導かれた光を反射するための部材である。
【００６９】
図４〜図７に示すように、反射部材２４は、リング状に形成されている。具体的には、反射部材２４は、反射部２４ａ及び押さえ部２４ｂを有している。反射部材２４は、例えばポリカーボネート樹脂等で形成されている。
【００７０】
反射部２４ａは、一端部（天井４側の端部）から他端部（床面側の端部）に向けてラッパ状に広がっている。反射部２４ａの凹面側には反射面が形成されている。反射部２４ａの凹面側は、導光板２２の導光部２２ｂの内周面を覆っている。
【００７１】
押さえ部２４ｂは、反射部２４ａの一端部の全周から反射部材２４の径方向内側にリング状に延びている。押さえ部２４ｂは、複数の分岐導光部２２ｅとともに、複数の基板４２のそれぞれの所定の領域にネジで取り付けられている。これにより、図６及び図７に示すように、押さえ部２４ｂの先端部は、レンズカバー１８の外周部を複数の基板４２に向けて押さえ付けるようになる。
【００７２】
［１−１１．拡散カバー］
次に、図１及び図３〜図７を参照しながら、拡散カバー２６について説明する。拡散カバー２６は、複数の第１の発光素子４４の各々からの光を拡散させるためのカバーである。
【００７３】
図１及び図３〜図７に示すように、拡散カバー２６は、反射部材２４に着脱自在に取り付けられ、導光板２２の開口部２２ａを覆うように配置されている。図３に示すように、拡散カバー２６を反射部材２４から取り外すことにより、レンズカバー１８が導光板２２の開口部２２ａから露出される。図６及び図７に示すように、拡散カバー２６は、拡散部２６ａ及び取付部２６ｂを有している。
【００７４】
拡散部２６ａは円板状に形成され、導光板２２の開口部２２ａを覆うように配置されている。拡散部２６ａは、透光性を有する材料（例えば乳白色のアクリル樹脂等）で形成されている。
【００７５】
取付部２６ｂは、拡散部２６ａの外周部の全周から拡散部２６ａの軸方向（Ｚ軸方向）にラッパ状に延びている。取付部２６ｂは、反射部材２４の反射部２４ａの凸面側に着脱自在に取り付けられている。
【００７６】
上記の照明器具２により照明する場合には、後述するように電源ユニット１２からの直流電力が発光モジュール１６に供給され、複数の第１の発光素子４４及び複数の第２の発光素子４６のそれぞれが発光する。このとき、複数の第２の発光素子４６のそれぞれからの光（発散光）は、導光板２２の入射部２２ｃに入射した際に、プリズム構造６２により光の一部が導光方向に対して平行な光に変換される。入射部２２ｃに入射した平行光は、導光部２２ｂの内部において第１の反射面７０、第２の反射面７２及び第３の反射面７４で反射しながら（また、反射部材２４の反射部２４ａで反射しながら）入射部２２ｃから出射部２２ｄに向けて導かれる。出射部２２ｄの内部に導かれた光は、出射部２２ｄの第１面Ａ１で反射することにより、出射部２２ｄの第２面Ａ２から出射する。
【００７７】
［１−１２．導光板におけるプリズムの配置構成］
次に、図１３〜図２１を参照しながら、導光板２２の第１面Ａ１の第２領域Ｃ２における、複数のプリズム６０（図１５（ａ））の配置構成を詳しく説明する。図１４は、導光板２２の出射部２２ｄの第２領域Ｃ２を第２面Ａ２側から見た場合の周方向一部を示す図である。図１５（ａ）は、実施形態において導光板２２における図７のＦ部拡大相当図である。図１５（ｂ）は、比較例の第１例において導光板８４における図７のＦ部拡大相当図であり、図１５（ｃ）は、比較例の第２例において導光板８５における図７のＦ部拡大相当図である。
【００７８】
実施形態では、複数のプリズム６０は、出射部２２ｄの内部に導かれた光の少なくとも一部を反射させて、出射部２２ｄから出射するために形成される。このような複数のプリズム６０によって、光を出射部２２ｄから効率良く出射させることができる。さらに、複数のプリズム６０は、第１面Ａ１の第２領域Ｃ２において、ＦＭスクリーン法に基づいて分散して配置されている。具体的には、ＦＭスクリーンのうち、誤差拡散法が用いられている。「ＦＭスクリーン法」は、インクジェット等の印刷の分野のように、連続的な階調を含む画像を二値表現だけが可能な媒体で表現するときに用いられる方法であり、微小光学構造の密度で濃淡を表現する方法である。
【００７９】
また、「誤差拡散法」は、入力画像を一画素等の単位面積で規定された単位領域ごとに、明るさ情報である階調に基づく値を、しきい値と比較することによって二値画像に変換する。また、二値画像に変換する際に、出力値と階調に基づく値との間に生じた誤差を所定の近傍の単位領域群に重みづけして拡散する。この場合、入力画像の単位領域と出力の単位領域とは、１対１で対応する。これにより、出射部２２ｄの第１面Ａ１の第２領域Ｃ２における複数のプリズム６０の配置は、密度勾配を有しない。
【００８０】
実施形態では、上記の誤差拡散法に基づいて第２領域Ｃ２における複数のプリズム６０の配置が決定される。具体的には、入力画像として、明るさ情報である２５６階調のうち、予め設定された所定の階調で、一色にべた塗りされたグレースケール画像が用いられる。そしてこのグレースケール画像の、単位面積で規定された複数の単位領域に誤差拡散法を適用して二値出力が得られ、その二値出力の値に応じて、プリズム６０の有無が決定される。具体的には、二値出力では、複数の単位領域に０か１かのいずれかの値が設定され、その二値出力を第２領域Ｃ２に適用する。このとき、二値出力の領域が０ではプリズムを配置せず、１ではプリズム６０を配置する。このため、第２領域Ｃ２において、適度に不均一に、複数のプリズム６０の配置位置が決定され、その配置位置に基づいて複数のプリズム６０が形成される。したがって、図１４に示すように、人が第２領域Ｃ２を第２面Ａ２側から見た場合に、輝度の差異に基づく模様があると感じる模様感を抑制できる。この理由については、後で図１５（ａ）に示す実施形態と、図１５（ｂ）（ｃ）に示す比較例の第１例及び第２例との関係を用いて説明する。
【００８１】
図１４において、白点は第１面Ａ１のプリズム６０で反射して第２面Ａ２から出射される光に基づく点であり、黒部分はそれ以外の輝度が低い部分である。なお、図１４において、周方向両端（図１４の上下両端）に見える黒字の線は説明の便宜上形成したもので、実際には図１４に示す部分の周方向両側に、複数のプリズム配置に基づいて、黒地の中に白点が配置された外観が連続する。
【００８２】
図１６は、実施形態において、導光板２２の第１面Ａ１におけるプリズム６０の配置を決定するための、誤差拡散法で用いるアルゴリズムを示すブロック図である。図１７は、誤差拡散法において、入力画像の１つの単位領域の明るさにおける階調をしきい値と比較して発生した誤差を、近隣の単位領域に分散させる様子を示す図である。図１８は、実施形態において、誤差拡散法に用いる拡散係数を示す図である。
【００８３】
図１６において、Ｉｘ、ｙは、入力画像の注目単位領域における階調を示している。Ｑｘ、ｙは、注目単位領域における二値出力を示している。Ｄは、誤差拡散フィルタを示している。誤差拡散法では、Ｉｘ、ｙには、先行して決定された近隣の二値出力から分散された誤差が加算器１００で加算されることで、誤差が加算された階調Ｐｘ、ｙが得られる。そして、加算後の階調と予め設定されたしきい値Ｔｈとが比較器１０１で比較されて、階調Ｐｘ、ｙがしきい値Ｔｈ以上であれば１が、しきい値Ｔｈ未満であれば０が、二値出力Ｑｘ、ｙとして出力される。そして、減算器１０２では、階調Ｐｘ、ｙと二値出力Ｑｘ、ｙとの誤差（Ｐｘ、ｙ−Ｑｘ、ｙ）が算出され、誤差拡散フィルタＤに出力される。誤差拡散フィルタＤは、予め設定された近隣の単位領域に誤差を分散する。
【００８４】
図１７では、注目単位領域をＸで示している。誤差拡散処理は、第１面Ａ１の第２領域Ｃ２で周方向及び径方向に並んだ複数の単位領域を考えた場合に、径方向の端の１列目における１つの単位領域（初期位置）から、図１７の右から左に（周方向一方側に）処理する。そして、初期位置の１つ手前の周方向位置の単位領域に到達したら、径方向の２列目において初期位置と同じ周方向位置から、図１７の右から左に処理し、それを径方向の全ての列の単位領域で繰り返す。
【００８５】
このとき、処理対象である注目単位領域をＸとした場合に、右、左斜め下、下、右斜め下の４つの近隣の単位領域Ｄ１〜Ｄ４に誤差を分散させる。分散された誤差は、それぞれの単位領域Ｄ１〜Ｄ４における階調Ｐｘ、ｙに加算される。実施形態では、誤差拡散フィルタＤとして、図１８に示す拡散係数を用いている。図１８は、図１７に対応する。図１８に示した拡散係数を用いる誤差拡散フィルタは、Ｆｌｏｙｄ＆Ｓｔｅｉｎｂｅｒｇフィルタと呼ばれる。注目単位領域Ｘで算出された誤差は、図１８の拡散係数で示す割合で近隣の単位領域Ｄ１〜Ｄ４に分散される。
【００８６】
図１９は、このようなアルゴリズムで算出された二値出力における周波数特性を示しており、実施形態において、導光板２２の第１面Ａ１の第２領域Ｃ２におけるプリズム配置のラジアル平均パワースペクトラムを示している。図１９の横軸は、ラジアル周波数（Radial Frequency）を示している。ラジアル周波数は、２次元パワースペクトルを、半径ｒと角度θについての極座標で示した１次元パワースペクトルに変換するときの、原点からの半径ｒが等しいパワースペクトルの周波数を意味する。図１９の縦軸は、Ｄｏｏｌｅｙの式で表される視覚系の応答特性（ＶＴＦ：Ｖｉｓｕａｌ  Ｔｒａｎｓｆｅｒ  Ｆｕｎｃｔｉｏｎ）に対応する、平均パワー（Average Power）を示している。平均パワーは、半径ｒについて平均化されたパワーを意味する。ＶＴＦが高くなるほど、平均パワーは増大する。人が導光板を見た場合に模様を感じにくくできるようにするためには、この平均パワーが最大ピーク領域から外れている周波数を選択する必要がある。また、ラジアル周波数の変化で平均パワーが大きく変動しないような周波数である安定低周波数を選択することが好ましい。図１９では、このような安定低周波数の領域（図１９の矢印αで示す領域）を、大きく確保できることが分かる。
【００８７】
図１４は、導光板２２の第２領域Ｃ２において、所定領域の面積に対してプリズム全体が占める面積の割合であるプリズム被覆率が、１０％の場合を示している。
【００８８】
上記の図１７では、第２領域Ｃ２の径方向一端の列から周方向一方側に処理して、それを径方向他端の列まで繰り返す場合を説明したが、実施形態の処理はこれに限定するものではない。第２領域Ｃ２の周方向所定位置の列から径方向一方側に処理して、それを周方向一方側に向かって、周方向所定位置の１つ手前の列まで繰り返すようにしてもよい。このときは、図１７で上下方向が周方向となり、左右方向が径方向となる。
【００８９】
また、上記では、導光板２２の出射部２２ｄの両側面のうち、第１面Ａ１のみにプリズム６０を形成する場合を説明したが、第１面Ａ１とともに第２面Ａ２の一部にも微小光学構造としてのプリズムを形成することもできる。第２面Ａ２のプリズムは凹状または凸状とすることができる。第２面Ａ２のプリズムによって、光を反射または散乱させることができる。また、上記では、第１面Ａ１に、複数のプリズム６０を、ＦＭスクリーン法に基づいて分散して配置する場合を説明した。一方、第１面Ａ１には、複数の微小光学構造として、上記の印刷により形成された反射体が、ＦＭスクリーン法に基づいて分散して配置されてもよい。
【００９０】
［１−１３．照明方法］
次に、図６、図７及び図１１を参照しながら、照明器具２による照明方法について説明する。電源ユニット１２からの直流電力が発光モジュール１６に供給されることにより、複数の第１の発光素子４４及び複数の第２の発光素子４６のそれぞれが発光する。
【００９１】
図６及び図７に示すように、複数の第１の発光素子４４のそれぞれからの光は、レンズカバー１８の対応するレンズ部１８ａを透過した後に、導光板２２の開口部２２ａを通して拡散カバー２６に入射する。拡散カバー２６に入射した光は、拡散カバー２６から拡散されながら出射した後に、空間６を照射する。これにより、複数の第１の発光素子４４のそれぞれからの光は、導光板２２に入射せずに空間６を直接照射する。
【００９２】
また、図７に示すように、複数の第１の発光素子４４のそれぞれからの光の一部は、反射部材２４等で反射した後に反射カバー１４の一方側の面で反射する。このように多重反射した光は、拡散カバー２６に入射する。これにより、光の取り出し効率を高めることができる。
【００９３】
一方、図７及び図１１に示すように、複数の第２の発光素子４６のそれぞれからの光（発散光）は、導光板２２の入射部２２ｃに入射した際に、プリズム構造６２により光の一部が導光方向に対して平行な光に変換される。入射部２２ｃに入射した平行光は、導光部２２ｂの内部において第１の反射面７０、第２の反射面７２及び第３の反射面７４で反射しながら（また、反射部材２４の反射部２４ａで反射しながら）入射部２２ｃから出射部２２ｄに向けて導かれる。
【００９４】
図１１に示すように、導光部２２ｂの内部に導かれた光は、まず、第１の反射面７０の凹面側に臨界角よりも大きい入射角で入射することにより、第１の反射面７０で全反射する。このとき、第１の反射面７０は、入射部２２ｃに入射した平行光の大部分が全反射することが可能な領域に配置されていることが好ましい。第１の反射面７０で全反射した光は、導光部２２ｂの内部を焦点Ｆに向けて収束しながら進み、焦点Ｆで集光された後は発散しながら第２の反射面７２に入射する。
【００９５】
第１の反射面７０からの光は、第２の反射面７２の凹面側に臨界角よりも大きい入射角で入射することにより、第２の反射面７２で全反射する。第２の反射面７２で全反射した光は、出射部２２ｄの内部に導かれ、出射部２２ｄの第１面Ａ１に形成されたプリズム部分で反射することにより、出射部２２ｄの第２面Ａ２から出射する。
【００９６】
また、導光部２２ｂの内部に導かれた光の一部は、第３の反射面７４の凹面側で反射した後に、出射部２２ｄの内部に導かれる。
【００９７】
また、第２面Ａ２のプリズム部分で多数回反射した光の一部（戻り光）は、導光部２２ｂに戻る方向に進もうとする。一方、図１１に示すように、この戻り光は、導光板２２に形成された凹部８２で反射することにより、導光部２２ｂに戻ることなく、出射部２２ｄの内部に再度導かれる。
【００９８】
また、図１１に示すように、導光板２２の入射部２２ｃに入射した光のうち、プリズム構造６２により平行光に変換されなかった光の一部は、分岐導光部２２ｅに入射する。このとき、図７に示す反射部材２４の押さえ部２４ｂを例えば透明な樹脂等で形成することにより、分岐導光部２２ｅに入射した光は、押さえ部２４ｂを透過して拡散カバー２６に入射する。または、反射部材２４の押さえ部２４ｂを省略することによっても、分岐導光部２２ｅに入射した光を拡散カバー２６に入射させることができる。また、第２の反射面７２に例えばシボ加工等の粗面化処理をした場合、導光した光の一部を拡散カバー２６に入射させることができ、発光時に拡散カバー２６が均一に発光することができる他、出射部２２ｄも均一に発光させる効果があるため、照明としての外観上の品質を向上させることができる。
【００９９】
以上のようにして、拡散カバー２６からの光によって空間６を直射照明し、且つ、導光板２２の出射部２２ｄからの光によって空間６を導光照明することができる。これにより、照明器具２の直下の空間６は、拡散カバー２６からの光によって比較的明るく直射照明されるので、例えば読書又は手作業等に必要な照度を確保することができる。一方、照明器具２の周囲の空間６は、導光板２２の出射部２２ｄからの光によって天井面や壁面上方の通常の器具では照明しにくい領域も照明されるので、部屋全体を照明することができる。
【０１００】
［２．効果］
本実施の形態の照明器具２は、光源としての第２の発光素子４６と、第２の発光素子４６からの光を所定方向に導光して出射させる照明用の導光板２２とを備える。導光板２２は、厚み方向両側面の少なくとも第１面Ａ１に、複数の微小光学構造としてのプリズム６０または反射体を有し、複数のプリズム６０または反射体は、第１面Ａ１の一部の領域に、ＦＭスクリーン法に基づいて分散して配置されている。
【０１０１】
これにより、人が導光板２２を見た場合に、輝度の差異に基づく模様を感じにくくできる。より具体的には、人が導光板２２の第１面Ａ１を、第１面Ａ１とは反対側の第２面Ａ２側から見た場合に、輝度の差異に基づく模様を感じにくくすることと、高い配光制御性の維持とを両立できる。この理由について、図１５（ａ）に示す実施形態と、図１５（ｂ）（ｃ）に示す比較例の第１例及び第２例との関係を用いて説明する。
【０１０２】
図１５（ｂ）の比較例の第１例は、導光板８４の出射部８４ｄにおいて、厚み方向の第１面Ａ１に、等間隔でプリズム６０が形成されている。図１５（ｂ）の左側に配置される導光部から出射部８４ｄに入射された光はプリズム６０で反射して、厚み方向の第２面Ａ２から出射される。このとき、第１面Ａ１のプリズム６０の周辺の平坦部で一度反射された光線をプリズム６０で再度反射させて、出射部８４ｄの厚み方向（図１５（ｂ）の上下方向）と平行な出射光として第２面Ａ２から出射させる。第２面Ａ２を床面に向ければ直下照度を向上させることができる。
【０１０３】
一方、例えば図１５（ｂ）の光線Ｌ１と左端のプリズム６０との関係で示すように、導光部から直接プリズム６０に入射された光は全反射条件を満足せず、屈折しながらＡ１の方向に出射する。このとき、第１面Ａ１におけるプリズム６０の密度を局所的あるいは全体的に高くすると、プリズム間隔が小さくなる。これにより、後述の図１５（ｃ）の比較例の光線Ｌ２のように、導光部から第１面Ａ１のプリズム６０以外の部分に入射されず、プリズム６０に直接入射されることで、第２面Ａ２ではなく第１面Ａ１から出射され、直下照度を得るための光線としては使用できない。このため、第１面Ａ１において配光の制御に有効な平坦部が少なくなるので高い配光制御性の維持が困難になる。一方で、図１５（ｂ）のように、複数のプリズム６０が均一に配置されていることで、プリズム間隔が全体的に大きくなることにより直下照度が確保できても人が第２面Ａ２側から第１面Ａ１を見た場合に、規則性を持った輝度の差異に基づく模様があるように感じやすくなる。
【０１０４】
図１５（ｃ）の比較例の第２例は、導光板８５の出射部８５ｄにおいて、厚み方向の第１面Ａ１の等間隔複数位置に、クラスタ状に密集した複数のプリズム６０からなるプリズム群８６が形成されている。導光部から出射部８５ｄに入射された光はプリズム６０で反射して、厚み方向の第２面Ａ２から出射される。このとき、第１面Ａ１におけるプリズム６０の密度が高くなることで、プリズム群８６の間隔が均一に小さくなると、図１５（ｃ）に示す光線Ｌ２のように、導光部から第１面Ａ１のプリズム６０以外の部分に入射されず、プリズム６０に直接入射されることで、第２面Ａ２ではなく第１面Ａ１から出射される光が多くなる。このため、導光板８５を用いて照明器具を構成した際に、プリズムを等間隔に配置した場合に比べて、直下照度を得る事が難しくなる。このため図１５（ｂ）と図１５（ｃ）では直下照度と輝度の差異に基づく模様感が完全にトレードオフの関係にあり、照明器具としての性能と品質を満足することができない。一方、実施形態では、上記のように複数のプリズム６０がＦＭスクリーン法に基づいて分散して配置されている。これにより、複数のプリズム６０の大きな密度の偏りがなく、かつ、均一に配置されるプリズムを少なくできる。したがって、人が導光板２２を見た場合に輝度の差異に基づく模様を感じにくくすることと、高い配光制御性の維持とを両立できる。
【０１０５】
図２０（ａ）は、比較例の第１例または第２例において、導光板８４，８５に発生する輝度差異に基づく模様の第１例を示している、導光板８４，８５の第２面Ａ２の外側から見た図であり、図２０（ｂ）は、図２０（ａ）のＧ部拡大図である。図２１（ａ）は、比較例の第１例または第２例において、導光板８４，８５に発生する輝度差異に基づく模様の第２例を示している、導光板８４，８５の第２面Ａ２の斜視図であり、図２１（ｂ）は、図２０（ａ）のＨ部拡大図である。なお、図２０、図２１では、説明を分かり易くするために、導光板８４または導光板８５を、円環状に簡略化して示している。
【０１０６】
以下では、まず比較例の第１例の導光板８４で説明する。図２０（ａ）（ｂ）に示すように、導光板８４を第２面Ａ２側から見た場合には、周方向複数位置に、複数の円弧形の線状の輝度の差異に基づく模様があるように見えやすくなる場合がある。このとき、第２面Ａ２における模様としての複数の円弧形の線８７は、周方向等間隔の位置で、かつ、径方向に等間隔の位置に形成されやすい。
【０１０７】
また、図２１（ａ）（ｂ）に示すように、導光板８４の第２面Ａ２を斜め方向から見た場合に、径方向に並んだ複数の円８８の模様があるように見えやすくなる場合もある。この場合、導光板８４の成形時におけるプリズム形状の加工誤差に基づいて加工ムラによる輝度の差異に基づく模様も見えやすくなる。図２０、図２１のように模様があるように見えるいずれの理由も、上記の図１５（ｂ）を用いて説明したように、導光板８４の第１面Ａ１に、複数のプリズム６０が等間隔で配置されるためである。
【０１０８】
また、比較例の第２例の導光板８５の場合も、導光板８５の第１面Ａ１に複数のプリズム郡が等間隔で配置されることにより、図２０、図２１のように模様があるように見えやすくなる場合がある。
【０１０９】
一方、図１５（ａ）に示す実施形態の導光板２２のように、第１面Ａ１の第２領域Ｃ２に、ＦＭスクリーン法に基づいて複数のプリズム６０が分散して配置される場合には、第２領域Ｃ２におけるプリズム６０で反射した光が、第２面Ａ２から均一に出射されることが少なくなる。これにより、人が導光板２２の第１面Ａ１を、第１面Ａ１とは反対側の第２面Ａ２側から見た場合に、図１４に示したように、輝度の差異に基づく模様を感じにくくできる。
【０１１０】
さらに、実施形態の照明器具２が備える導光板２２は、入射部２２ｃと出射部２２ｄとの間に形成された導光部２２ｂを含む。また、導光部２２ｂは、入射部２２ｃから出射部２２ｄまで湾曲しながら延び、入射部２２ｃに入射した光を出射部２２ｄに向けて反射させながら導くための第１の反射面７０及び第２の反射面７２を内周面に有する。第１の反射面７０は、導光部２２ｂを仮想平面で切断したときの断面において、焦点Ｆを有する放物線を形成する。第２の反射面７２は、上記の断面において、第１の反射面７０よりも出射部２２ｄに近い側に配置され、かつ、第１の反射面７０と焦点Ｆとを通る仮想直線と交差する位置に配置されている。また、出射部２２ｄは、複数のプリズム６０が配置された第１面Ａ１を有する。
【０１１１】
これにより、第１の反射面７０は、断面において焦点Ｆを有する放物線を形成するので、導光部２２ｂの内部に導かれた光のうち第１の反射面７０で反射した光は、導光部２２ｂの内部を焦点Ｆに向けて収束しながら進み、焦点Ｆで集光された後は発散しながら第２の反射面７２に入射する。また、第２の反射面７２で反射した光は、出射部２２ｄの内部に導かれ、出射部２２ｄから空間６に向けて出射する。これにより、第１の反射面７０で反射した光を効率良く第２の反射面７２に入射させることができるので、導光部２２ｂにおける光の伝搬ロスの発生を抑制することができ、第２の発光素子４６からの光の利用効率を高めることができる。
【０１１２】
さらに、第１面Ａ１は、導光部２２ｂに近い側に配置され、微小光学構造を有しない第１領域Ｃ１と、第１領域Ｃ１より導光部２２ｂから遠い側に配置され、複数のプリズム６０が配置された第２領域Ｃ２とを含む。
【０１１３】
これにより、第１面Ａ１のうち、多くの位置で光を反射させる必要がある部分である、導光部２２ｂから遠い側の部分に複数のプリズム６０が配置されるので、出射部２２ｄの第２面Ａ２から効率よく光を出射させることができる。また、第１面Ａ１のうち、第２領域Ｃ２より導光部２２ｂに近い側には微小光学構造が配置されないので、コスト低減を図れる。これとともに、第１領域Ｃ１の多くの位置で光を反射させる必要がないので、導光部２２ｂから出射部２２ｄ内の多くの方向に光が拡散されるように複雑な曲面を形成する必要がない。
【０１１４】
さらに、導光板２２は、リング状に形成されている。導光部２２ｂは、入射部２２ｃから出射部２２ｄに向けてラッパ状に広がっている。入射部２２ｃは、導光部２２ｂの一端部から導光板の中心軸５８に対して略平行に延びている。出射部２２ｄは、導光部２２ｂの他端部から導光部２２ｂの径方向外側に延びている。また、仮想平面は、導光板の中心軸５８を含む平面である。
【０１１５】
これによれば、導光板２２をリング状に形成することにより、照明器具２を例えば円形状のシーリングライト等として利用することができる。
【０１１６】
（実施形態の別例）
図２２は、実施形態の別例の第１例において、誤差拡散法に用いる拡散係数を示す図である。図２３は、実施形態の別例の第１例おいて、導光板２２の第１面Ａ１のプリズム配置のラジアル平均パワースペクトラムを示す図である。
【０１１７】
本例の場合には、図１８に示した拡散係数の代わりに、図２２に示した拡散係数が用いられる。このため、図１７に示した場合に比べて、注目単位領域Ｘでしきい値Ｔｈ（図１６参照）と比較することにより算出された誤差が、近隣の多くの単位領域に分散される。図２２に示した拡散係数を用いる誤差拡散フィルタは、Ｊａｒｖｉｓ、Ｊｕｄｉｃｅ＆Ｎｉｎｋｅｌフィルタと呼ばれる。注目単位領域Ｘで算出された誤差は、図２２の拡散係数で示す割合で近隣の単位領域に分散される。
【０１１８】
図２３は、図２２に示した拡散係数を用いたアルゴリズムで算出された二値出力における周波数特性を示している図１９に対応する図である。図２３の周波数特性から、平均パワーが最大ピーク領域から外れている高いラジアル周波数を選択して、導光板２２の第１面Ａ１の第２領域Ｃ２におけるプリズム６０または反射体の配置を決定する。一方、図２３と図１９とを比較すれば明らかなように、図２３の周波数特性の場合には、平均パワーが最大ピーク領域から外れている高い周波数では、ラジアル周波数の変化で平均パワーが比較的大きく変動している。
【０１１９】
図２４は、実施形態の別例の第１例において、図１４に対応する図である。図２４に示すように、本例の場合でも、図１〜図１４、図１５（ａ）、図１６〜図１９の構成と同様に、人が導光板２２の第１面Ａ１を、第１面Ａ１とは反対側の第２面Ａ２側から見た場合に、輝度の差異に基づく模様を感じにくくすることと、高い配光制御性の維持とを両立できる。図２４の場合も、図１４の場合と同様に、導光板２２の第２領域Ｃ２においてプリズム被覆率が、１０％の場合を示している。本例において、その他の構成及び作用は、図１〜図１４、図１５（ａ）、図１６〜図１９の構成と同様である。
【０１２０】
上記では、第２領域Ｃ２のプリズム６０または反射体の配置を決定するために、ＦＭスクリーンとして誤差拡散法を用いる場合を説明したが、ＦＭスクリーン法として、組織的ディザ法、またはブルーノイズマスク法を用いることもできる。
【０１２１】
組織的ディザ法、及びブルーノイズマスク法のいずれも、マスク法と呼ばれるものであり、入力画像に対して、予め設定した所定の行列のしきい値と比較して二値化を行う方法である。例えば、「ディザマトリクス」と呼ばれる数表に示した値と、入力画像の所定領域の階調とを比較して、その大小関係に応じてプリズムまたは反射体の有無が決定される。このとき、入力画像には、誤差拡散法の場合と同様に、所定の階調で、一色にべた塗りされたグレースケール画像が用いられる。グレースケール画像の単位面積で規定された複数の単位領域に組織的ディザ法、またはブルーノイズマスク法を適用して二値出力が得られ、その二値出力に応じてプリズムの有無が決定される。
【０１２２】
「組織的ディザ法」では、１〜６４の整数が１つずつ分散された８×８の小行列（ディザ行列）が用いられる。そして、導光板２２の第２領域Ｃ２に対応して、この小行列が繰り返し配置されたものを用いて、プリズム配置が決定される。
【０１２３】
一方、「ブルーノイズマスク法」では、２５６×２５６の大行列が用いられる。そして、導光板２２の第２領域Ｃ２に対応して、この大行列が繰り返し配置されたものを用いて、プリズム配置が決定される。
【０１２４】
上記のように組織的ディザ法、及びブルーノイズマスク法のいずれを用いてプリズム配置を決定する場合でも、第２領域Ｃ２に複数のプリズムまたは反射体が分散して配置される。このような構成でも、上記の誤差拡散法を用いる場合と同様に、人が導光板２２の第１面Ａ１を第２面Ａ２側から見た場合に、輝度の差異に基づく模様を感じにくくすることと、高い配光制御性の維持とを両立できる。
【０１２５】
また、上記の各例では、導光板２２の出射部２２ｄの第１面Ａ１の第２領域Ｃ２のみにプリズム６０または反射体を配置する場合を説明したが、出射部２２ｄの第１面Ａ１の導光部２２ｂ側端部を含めて、全体にプリズムまたは反射体を配置する構成としてもよい。
【０１２６】
図２５は、実施形態の別例の第２例の照明器具９０において、床面側の外観を示す斜視図である。本例の照明器具９０は、光源としての複数の発光素子９１が実装された実装基板９２と、導光板９３とを備える。導光板９３は、リング状であり、かつ、発光素子９１からの光が入射される入射面としての内周面を有する。実装基板９２は導光板９３を支持する器具本体（図示せず）に固定される。複数の発光素子９１は、導光板９３の内周面の周方向等間隔位置に、径方向に対向するように、実装基板９２に配置される。
【０１２７】
導光板９３は、厚み方向両側面のうち、天井側の第１面Ａ１と床面側の第２面Ａ２とを含む。第１面Ａ１は、第１領域Ｅ１と第２領域Ｅ２とを有する。第１領域Ｅ１は、導光板９３の第１面Ａ１において、発光素子９１に近い側である、図２５の破線Ｊより導光板９３の内周側に配置され、微小光学構造を有しない。第２領域Ｅ２は、第１領域Ｅ１より発光素子９１から遠い側である、図２５の破線Ｊより導光板９３の外周側に配置され、複数の微小光学構造が配置される。複数の微小光学構造のそれぞれは、凹形状のプリズム、または、印刷により形成され光を反射する反射体である。微小光学構造が反射体である場合、複数の反射体のそれぞれは、スクリーン印刷、またはインクジェット印刷、またはグラビア印刷によって形成される。インクジェット印刷は、ＵＶインクジェット印刷としてもよい。
【０１２８】
また、第２領域Ｅ２における複数の微小光学構造の配置は、密度勾配を有しない。
【０１２９】
上記の構成の場合も、図１〜図１４、図１５（ａ）、図１６〜図１９の構成と同様に、第２領域Ｅ２に、ＦＭスクリーン法に基づいて、複数の微小光学構造が分散して配置される。この場合、ＦＭスクリーン法は、誤差拡散法、または組織的ディザ法、またはブルーノイズマスク法のいずれかである。
【０１３０】
このような本例の構成によっても、人が導光板９３の第１面Ａ１を第２面Ａ２側から見た場合に輝度の差異に基づく模様を感じにくくすることと、高い配光制御性の維持とを両立できる。本例において、その他の構成及び作用は、図１〜図１４、図１５（ａ）、図１６〜図１９の構成と同様である。本例において、複数の微小光学構造は、導光板９３の第１面Ａ１において、内周側端部を含めた全体に配置されてもよい。
【０１３１】
上記の実施形態では、照明器具２、９０をシーリングライトとしたが、これに限定されず、例えばシャンデリア、ペンダントライト、ブラケットライト、バスルームライト又はキッチンライト等としてもよい。
【０１３２】
また、上記の図１〜図１４、図１５（ａ）、図１６〜図１９の構成では、プリズム構造を、第２の発光素子４６からの発散光を平行光に変換するプリズム構造６２としたが、これに限定されず、例えば第２の発光素子４６からの発散光を収束光に変換する集光レンズ構造としてもよい。
【０１３３】
また、上記の各実施形態では、導光板２２、９３をリング状に形成したが、これに限定されず、例えば矩形状に形成してもよい。
【０１３４】
また、上記の図１〜図１４、図１５（ａ）、図１６〜図１９の構成では、第２の反射面７２が上記断面において曲線を形成するようにしたが、これに限定されず、第２の反射面７２が上記断面において例えば直線を形成するようにしてもよい。
【０１３５】
また、上記の各実施形態では、第１の発光素子４４、第２の発光素子４６、及び発光素子９１の各実装構造をＳＭＤ構造としたが、これに限定されず、例えばＬＥＤチップを基板４２に直接実装したＣＯＢ（Ｃｈｉｐ  Ｏｎ  Ｂｏａｒｄ）構造であってもよい。この場合、封止部材によって、基板上に実装された複数のＬＥＤチップを一括に封止してもよく、あるいは、個別に封止してもよい。また、封止部材には、上述した黄色蛍光体等の波長変換材が含有されていてもよい。
【０１３６】
また、上記の各実施形態では、第１の発光素子４４、第２の発光素子４６、及び発光素子９１としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１３７】
その他、本発明の趣旨を逸脱しない範囲で各実施形態における構成要素及び機能を任意に組み合わせることで実現される形態も本発明に含まれる。
【符号の説明】
【０１３８】
２  照明器具、４  天井、６  空間、１０  器具取付部材、１２  電源ユニット、１４  反射カバー、１６  発光モジュール、１８  レンズカバー、２０  化粧カバー、２２  導光板、２２ａ  開口部、２２ｂ  導光部、２２ｃ  入射部、２２ｄ  出射部、２２ｅ  分岐導光部、２４  反射部材、２６  拡散カバー、３０  絶縁ケース、３６  基板、３８  回路部品、４４  第１の発光素子、４６  第２の発光素子、６０  プリズム、６２  プリズム構造、６６  傾斜部、６８  湾曲部、７０  第１の反射面、７２  第２の反射面、７４  第３の反射面、８４  導光板、８４ｄ  出射部、８５  導光板、８５ｄ  出射部、８６  プリズム群、８７  線、８８  円、９０  照明器具、９１  発光素子、９２  実装基板、９３  導光板。
【図１】
2019192554.tif 000003
【図２】
2019192554.tif 000004
【図３】
2019192554.tif 000005
【図４】
2019192554.tif 000006
【図５】
2019192554.tif 000007
【図６】
2019192554.tif 000008
【図７】
2019192554.tif 000009
【図８】
2019192554.tif 000010
【図９】
2019192554.tif 000011
【図１０】
2019192554.tif 000012
【図１１】
2019192554.tif 000013
【図１２】
2019192554.tif 000014
【図１３】
2019192554.tif 000015
【図１４】
2019192554.tif 000016
【図１５】
2019192554.tif 000017
【図１６】
2019192554.tif 000018
【図１７】
2019192554.tif 000019
【図１８】
2019192554.tif 000020
【図１９】
2019192554.tif 000021
【図２０】
2019192554.tif 000022
【図２１】
2019192554.tif 000023
【図２２】
2019192554.tif 000024
【図２３】
2019192554.tif 000025
【図２４】
2019192554.tif 000026
【図２５】
2019192554.tif 000027